(57)【要約】【課題】複数のセンサの設置範囲の外側に存在する物体の位置を高精度に検出する技術を提供する。【解決手段】本開示の物体検出装置１０は、複数のセンサ２が設置された設置範囲の外側の検出領域に存在する物体の位置を、複数のセンサが測定するセンサと物体との距離情報に基づいて検出する。情報取得部１２は、複数のセンサから距離情報を取得する。評価部２０は、情報取得部が取得する距離情報に基づいて、検出領域が分割された複数の評価領域のそれぞれにおいて、物体が存在する確からしさを表す評価値を設定する。ピーク抽出部３０は、評価領域のそれぞれにおいて評価部が設定する評価値に基づいて、周囲の評価領域よりも物体が存在する確からしさが高いピークの評価値を有する評価領域を抽出する。物体検出部３２は、ピーク抽出部が抽出する評価領域の評価値に基づいて、評価領域に物体が存在するか否かを判定する。【選択図】図１
2020008310.tif 000002
【特許請求の範囲】
【請求項１】
複数のセンサ（２）が設置された設置範囲（４）の外側の検出領域（１００、１１０）に存在する物体の位置を、前記複数のセンサが少なくとも測定する前記センサと前記物体との距離情報に基づいて検出する物体検出装置（１０、４０、５０）であって、
前記複数のセンサから前記距離情報を取得するように構成された情報取得部（１２）と、
前記情報取得部が取得する前記距離情報に基づいて、前記検出領域が分割された複数の評価領域（１０２、１１２、１５０、１６０、１６２、１７０、１７２）のそれぞれにおいて、前記物体が存在する確からしさを表す評価値を設定するように構成された評価部（２０）と、
前記評価領域のそれぞれにおいて前記評価部が設定する前記評価値に基づいて、周囲の前記評価領域よりも前記確からしさが高いピークの前記評価値を有する前記評価領域を抽出するように構成されたピーク抽出部（３０）と、
前記ピーク抽出部が抽出する前記評価領域の前記評価値に基づいて、前記評価領域に前記物体が存在するか否かを判定するように構成された物体検出部（３２）と、
を備える物体検出装置。
【請求項２】
請求項１に記載の物体検出装置であって、
前記評価部は、
前記評価領域のそれぞれにおいて、前記複数のセンサの各センサと前記物体との距離と、前記評価領域と前記各センサとの距離との差が最小となる最小距離誤差を算出し、前記各センサに対応した前記最小距離誤差の合計を算出して前記評価領域の誤差評価値とするように構成された誤差評価部（２２）と、
前記評価領域のそれぞれにおいて、前記誤差評価部が算出する前記複数のセンサに対応した前記最小距離誤差の分散を算出して前記評価領域の分散評価値とするように構成された分散評価部（２４）と、
を備え、
前記ピーク抽出部は、前記評価値として、前記誤差評価部が算出する前記誤差評価値と、前記分散評価部が算出する前記分散評価値とに基づいて、ピークの前記評価値を有する前記評価領域を抽出するように構成されている、
物体検出装置。
【請求項３】
請求項１または２に記載の物体検出装置であって、
前記検出領域は複数の前記評価領域に分割された複数の部分検出領域に分割されており、
前記評価部は、前記複数の部分検出領域のそれぞれにおいて順次、前記評価領域の前記評価値を設定するように構成されており、
前記ピーク抽出部は、前記部分検出領域のそれぞれにおいて順次、前記評価部が設定した前記評価値に基づいてピークの前記評価値を有する前記評価領域を抽出するように構成されている、
物体検出装置。
【請求項４】
請求項３に記載の物体検出装置であって、
前記物体検出部は、隣接しているか、または一部が重なっている前記部分検出領域同士の境界の前記評価領域のそれぞれがピークの前記評価値を有する場合、境界の前記評価領域の一方の前記評価値を選択するか、あるいは境界の前記評価領域の前記評価値の平均値を前記評価値とするように構成されている、
物体検出装置。
【請求項５】
請求項１から４のいずれか１項に記載の物体検出装置であって、
前記ピーク抽出部が抽出するピークを有する前記評価領域（１５０）をさらに小さな複数の小領域（１５２）に分割するように構成された分割部（４２、５２）をさらに備え、
ピークを有する前記評価領域において、
前記情報取得部は、前記複数のセンサから前記距離情報を取得するように構成されており
前記評価部は、前記距離情報に基づいて前記複数の小領域のそれぞれにおいて前記評価値を設定するように構成されており、
前記ピーク抽出部は、前記小領域のそれぞれにおいて、前記評価値に基づいて、周囲の前記小領域よりも前記確からしさが高いピークの前記評価値を有する前記小領域を抽出するように構成されており、
前記物体検出部は、前記ピーク抽出部が抽出する前記小領域の前記評価値に基づいて、前記小領域に前記物体が存在するか否かを判定するように構成されている、
物体検出装置。
【発明の詳細な説明】
【技術分野】
【０００１】
本開示は、複数のセンサにより物体を検出する技術に関する。
【背景技術】
【０００２】
複数のセンサにより物体を検出する技術として、例えば特許文献１には、３つ以上のセンサのうち２組の異なるセンサの組み合わせのそれぞれにおいて、物体からの電波の到達時間の差を測定し、各組の到達時間差がセンサと物体との距離の差により生じることに基づいて物体の位置を検出する技術が記載されている。
【０００３】
各組のセンサが測定する到達時間の差に基づいて物体の位置を検出する場合、複数の信号が混信したり、センサを有する受信機に雑音が発生したりするために、各組のセンサにより複数の異なる到達時間差が測定されることがある。
【０００４】
そこで、特許文献１に記載の技術では、各組のセンサにより複数の異なる到達時間差が測定されると、基準となるセンサに対し他のセンサが受信した電波信号をそれぞれの到達時間差だけシフトし、シフトした電波信号同士の内積を算出する。正しい到達時間差同士の電波信号であれば、電波信号を到達時間差だけシフトすると、各組のセンサにとって同じ時刻に到達する電波信号になるので、他の到達時間差同士の電波信号同士の内積よりも大きい値になる。
【０００５】
そして、特許文献１に記載の技術では、内積の値が大きく相関の高い組み合わせの電波信号の到達時間差に基づいて、物体の位置を検出しようとしている。
【先行技術文献】
【特許文献】
【０００６】
【特許文献１】特開２０１４−４４１６０号公報
【発明の概要】
【発明が解決しようとする課題】
【０００７】
物体の位置を検出する場合、特許文献１に記載の技術のように、電波信号の到達時間差に基づいて、つまりセンサと物体との距離に基づいて物体の位置を検出する場合、複数のセンサの設置範囲内に物体が存在しているのであれば、複数のセンサのそれぞれと物体と距離の交点の位置を物体の位置として検出できる。
【０００８】
これに対し、複数のセンサの設置範囲の外側に物体が存在している場合、物体までの距離に対してセンサ同士の距離が近いと、物体までの距離は高精度に測定できるものの、センサに対する方位方向、つまり角度方向において、複数のセンサのそれぞれから物体までの距離の交点の位置を特定することは困難である。そのため、物体の位置の検出精度が低下するという課題がある。
【０００９】
本開示は、複数のセンサの設置範囲の外側に存在する物体の位置を高精度に検出する技術を提供することが望ましい。
【課題を解決するための手段】
【００１０】
本開示の物体検出装置（１０、４０、５０）は、複数のセンサ（２）が設置された設置範囲（４）の外側の検出領域（１００、１１０）に存在する物体の位置を、複数のセンサが少なくとも測定するセンサと物体との距離情報に基づいて検出する物体検出装置であって、情報取得部（１２）と、評価部（２０）と、ピーク抽出部（３０）と、物体検出部（３２）と、を備えている。
【００１１】
情報取得部は、複数のセンサから距離情報を取得する。評価部は、情報取得部が取得する距離情報に基づいて、検出領域が分割された複数の評価領域（１０２、１１２、１５０、１６０、１６２、１７０、１７２）のそれぞれにおいて、物体が存在する確からしさを表す評価値を設定する。
【００１２】
ピーク抽出部は、評価領域のそれぞれにおいて評価部が設定する評価値に基づいて、周囲の評価領域よりも物体が存在する確からしさが高いピークの評価値を有する評価領域を抽出する。物体検出部は、ピーク抽出部が抽出する評価領域の評価値に基づいて、評価領域に物体が存在するか否かを判定する。
【００１３】
上記の本開示の構成によれば、複数のセンサが設置された設置範囲の外側の検出領域を複数の評価領域に分割し、複数のセンサが検出する物体との距離情報に基づいて、評価領域に物体が存在する確からしさを表す評価値を設定する。そして、周囲の評価領域に対しピークの評価値を有する評価領域を抽出する。
【００１４】
これにより、複数のセンサが設置された設置範囲の外側の検出領域に存在し、複数のセンサがそれぞれ検出する距離の差が小さい物体であっても、周囲の評価領域に対してピークの評価値を有する評価領域の評価値に基づいて、評価領域に物体が存在するか否かを判定できる。したがって、複数のセンサが設置された設置範囲の外側に存在する物体の位置を高精度に検出できる。
【００１５】
尚、この欄および特許請求の範囲に記載した括弧内の符号は、一つの態様として後述する実施形態に記載の具体的手段との対応関係を示すものであって、本開示の技術的範囲を限定するものではない。
【図面の簡単な説明】
【００１６】
【図１】第１実施形態の物体検出装置を示すブロック図。
【図２】測位距離に基づく物体の検出方法を示す模式図。
【図３】測位距離に基づく複数の物体の検出方法を示す模式図。
【図４】検出領域を評価領域に分割した一例を示す模式図。
【図５】検出領域を評価領域に分割した他の例を示す模式図。
【図６】距離誤差と距離分散とに基づく物体の検出方法を示す模式図。
【図７】第２実施形態の複数の部分検出領域を示す模式図。
【図８】第３実施形態の物体検出装置を示すブロック図。
【図９】物体の検出された評価領域の分割を示す模式図。
【図１０】第４実施形態の物体検出装置を示すブロック図。
【図１１】大きさの異なる評価領域の一例を示す模式図。
【図１２】大きさの異なる評価領域の他の例を示す模式図。
【発明を実施するための形態】
【００１７】
以下、本開示の実施形態を図に基づいて説明する。
［１．第１実施形態］
［１−１．構成］
図１に示す物体検出装置１０は、例えば車両等の移動体に搭載され、移動体の周囲に存在する物体の位置を検出する。物体検出装置１０は、物体の位置を測定する測位センサとして複数のミリ波レーダ２から、ミリ波レーダ２と物体との距離情報を取得する。尚、図１では３つのミリ波レーダ２を図示しているが、ミリ波レーダ２の数は複数であれば２つであってもよいし、３つより多くてもよい。
【００１８】
図２に示すように、ミリ波レーダ２は、ミリ波レーダ２が設置された設置範囲４の外側に存在する物体までの距離６を検出する。
物体検出装置１０は、ＣＰＵと、ＲＡＭ、ＲＯＭ、フラッシュメモリ等の半導体メモリと、入出力インターフェースと、を備えるマイクロコンピュータを中心に構成されている。以下、半導体メモリを単にメモリとも言う。物体検出装置１０は１つのマイクロコンピュータを搭載してもよいし、複数のマイクロコンピュータを搭載してもよい。
【００１９】
物体検出装置１０の各種機能は、ＣＰＵが非遷移的実体的記録媒体に記憶されているプログラムを実行することにより実現される。この例では、メモリが、プログラムを格納した非遷移的実体的記録媒体に該当する。このプログラムをＣＰＵが実行することで、プログラムに対応する方法が実行される。
【００２０】
物体検出装置１０は、ＣＰＵがプログラムを実行することで実現される機能の構成として、情報取得部１２と、評価部２０と、ピーク抽出部３０と、物体検出部３２とを備えている。物体検出装置１０を構成するこれらの要素を実現する手法はソフトウェアに限るものではなく、その一部または全部の要素について、一つあるいは複数のハードウェアを用いて実現してもよい。例えば、上記機能がハードウェアである電子回路によって実現される場合、その電子回路は多数の論理回路を含むデジタル回路、またはアナログ回路、あるいはこれらの組合せによって実現してもよい。
【００２１】
情報取得部１２は、ミリ波レーダ２から、物体までの距離を測定した距離情報を取得する。情報取得部１２がミリ波レーダ２から取得する物体までの距離情報に基づいて、距離の交点の位置を検出しようとすると、図２に示すように、交点までの距離は特定できるが、ミリ波レーダ２に対して方位方向、つまり角度方向に交点が重なる範囲８が生じる。
【００２２】
つまり、ミリ波レーダ２に対して角度方向において、物体の位置の誤差が大きくなっている。このままでは、物体の位置を高精度に検出できない。
図３に示すように、「＋」が示す位置に物体が実際に複数存在する場合も同様に、ミリ波レーダ２に対して、実際に物体が存在する位置以外にも、距離の交点が重なる範囲が生じる。したがって、物体が存在する位置を検出することは困難である。
【００２３】
そこで、本実施形態では、例えば図４に示すように、車両の前方に対して左右にそれぞれ９０°、かつ車両から５０ｍの範囲に検出領域１００を設定し、角度方向に１０°間隔、距離方向に５ｍ間隔で検出領域１００を複数の扇状の評価領域１０２に分割する。
【００２４】
図４に示す検出領域１００と評価領域１０２との設定以外にも、図５に示すように、ミリ波レーダ２に対して前方方向と左右方向とに５０ｍの矩形の検出領域１１０を設定し、５ｍ間隔の格子状に分割した評価領域１１２を設定してもよい。
【００２５】
尚、検出領域１００、１１０を複数の評価領域に分割するときの評価領域の大きさは、要求される物体の位置の検出精度によって適宜決定される。小さい評価領域に分割されるほど、物体の位置の検出精度は高くなる。実際には、検出領域１００、１１０を分割して設定される評価領域の大きさは、図４、図５に示す大きさよりも小さい。
【００２６】
評価部２０は、評価領域１０２または評価領域１１２において、物体が存在する確からしさを表す評価値を設定する。評価部２０は、評価値を設定するために、誤差評価部２２と分散評価部２４とを備えている。
【００２７】
誤差評価部２２は、評価領域１０２、１１２毎に、ミリ波レーダ２が検出する物体までの距離誤差を算出する。以下、図４に示す評価領域１０２において、誤差評価部２２が算出する距離誤差について説明する。
【００２８】
まず、ミリ波レーダ２の数をＮｓ、物体の数をＮｏ、距離方向の検出領域１００の分割数をＮｒ、評価領域１０２の距離方向の長さをΔｒ、距離方向の評価領域１０２のインデックスをｎｒ＝１、・・・、Ｎｒ、角度方向の検出領域１００の分割数をＮｐ、評価領域１０２の角度方向の角度をΔｐ、角度方向の評価領域１０２のインデックスをｎｐ＝１、・・・、Ｎｐ、ミリ波レーダ２のインデックスをｎ＝１、・・・、Ｎｓ、ｎ番目のミリ波レーダ２によるＮｏ個の物体に対する測位距離をＲｎ＝（ｒｎ１、・・・、ｒｎＮｏ）、ｎ番目のミリ波レーダ２の座標をＬｒａｄａｒ＿ｎ＝（ｘｎ、ｙｎ）とする。
【００２９】
インデックス（ｎｒ、ｎｐ）の評価領域１０２の座標Ｌｍｅｓｈ（ｎｒ、ｎｐ）は次式（１）で表される。
【００３０】
【数１】
2020008310.tif 000003
そして、各ミリ波レーダ２と各評価領域１０２との距離ｒｍｅｓｈ（ｎｒ、ｎｐ、ｎ）は次式（２）で表される。
【００３１】
【数２】
2020008310.tif 000004
尚、式（２）は、各ミリ波レーダ２のｘｙ座標と各評価領域１０２のｘｙ座標とのそれぞれの差の２乗の和の平方根を求めていることを表している。
【００３２】
次に、インデックス（ｎｒ、ｎｐ）の評価領域１０２において、ｎ番目のミリ波レーダ２が検出する複数の物体までの距離Ｒｎ＝（ｒｎ１、・・・、ｒｎＮｏ）のそれぞれと、評価領域１０２とｎ番目のミリ波レーダ２との距離ｒｍｅｓｈ（ｎｒ、ｎｐ、ｎ）との差が最小となる最小距離誤差δ（ｎｒ、ｎｐ、ｎ）は、次式（３）から算出される。
【００３３】
【数３】
2020008310.tif 000005
そして、各評価領域１０２において式（３）で算出した最小距離誤差を、すべてのミリ波レーダ２について加算した合計である各評価領域１０２の距離誤差ε（ｎｒ、ｎｐ）は、次式（４）から算出される。
【００３４】
【数４】
2020008310.tif 000006
式（４）が示す距離誤差ε（ｎｒ、ｎｐ）の値が小さいほど、該当する評価領域に物体が存在する確からしさが高いことを表している。
【００３５】
次に説明する図６では、「＋」が示す点の密集度が高い箇所が、物体が存在する確からしさが高い箇所を表している。図６の上段には、距離誤差に基づいた物体が存在する確からしさが示されている。
【００３６】
尚、図６では、「＋」が示す点の密集度によって物体が存在する確からしさを示しているが、色の濃淡、あるいは異なる色により、物体が存在する確からしさを画像データで表示してもよい。
【００３７】
図６の上段から分かるように、式（４）が表す距離誤差は、ミリ波レーダ２に対して距離方向の精度は高いが、ミリ波レーダ２に対して方位方向、つまり角度方向の精度は低い。
そこで、分散評価部２４は、次式（５）により、各評価領域１０２において、式（３）で算出した最小距離誤差δ（ｎｒ、ｎｐ、ｎ）の分散を表す距離分散σ（ｎｒ、ｎｐ）を算出する。式（５）において、Ｅ（δ（ｎｒ、ｎｐ））は、各評価領域１０２における複数のレーダ２に対応する最小距離誤差の平均を表している。
【００３８】
【数５】
2020008310.tif 000007
式（５）が示す距離分散σ（ｎｒ、ｎｐ）の値が小さいほど、該当する評価領域１０２に物体が存在する確からしさが高いことを表している。
【００３９】
図６の中段から分かるように、式（５）が表す距離分散は、ミリ波レーダ２に対して角度方向の精度は高いが、ミリ波レーダ２に対して距離方向の精度は低いことを表している。
次に、図６の上段に示す距離誤差と図６の中段に示す距離分散とを加算する。距離誤差と距離分散とを加算する場合、物体の誤検出を抑制するために、各評価領域において、距離誤差が、評価領域１０２の距離方向の長さΔｒをミリ波レーダ２の数で割った値Δｒ／Ｎｓより大きい場合、その評価領域１０２における距離誤差には無限大が設定される。
【００４０】
さらに、各評価領域１０２において、距離分散が、評価領域の距離方向の長さΔｒを所定の除数σｔｈで割った値Δｒ／σｔｈより大きい場合、その評価領域における距離分散には無限大が設定される。尚、除数σｔｈは、誤検出の抑制の程度によって経験的に設定される。除数σｔｈが大きいほど物体の誤検出を抑制できるが、存在している物体を検出できない場合もある。
【００４１】
図６の下段に、距離誤差と距離分散とを加算した値を評価領域１０２の評価値とした結果を示す。ピーク抽出部３０は、残った評価領域１０２のうち、物体が存在する確からしさの高さが、例えば前後の距離方向と左右の角度方向に存在する周囲の評価領域１０２よりも高いピークの評価値を有する評価領域１０２を、検出領域１００から抽出する。
【００４２】
本実施形態では、ピーク抽出部３０は、周囲の評価領域１０２よりも評価値の低いピークの評価値を有する評価領域を検出領域１００から抽出する。
尚、距離誤差と距離分散とに対し重視する精度に応じて重み付けを行ってから、距離誤差と距離分散とを加算してもよい。例えば、距離精度よりも方位精度を重視するのであれば、方位精度を表す距離分散を式（５）から算出される値よりも大きくしてから距離誤差と距離分散とを加算してもよい。
【００４３】
また、ミリ波レーダ２に対して距離方向よりも角度方向に物体を誤検出する可能性が高いので、ピーク抽出部３０は、ピークの評価値を有する評価領域１０２と評価値を比較する周囲の評価領域１０２について、角度方向の評価領域１０２の数を距離方向の評価領域１０２の数よりも多くすることが望ましい。例えば、距離方向の評価領域１０２の数を前後にそれぞれ１つにすると、角度方向の評価領域１０２の数を左右にそれぞれ２つにする。
【００４４】
図６の下段に示すように、物体検出部３２は、ピーク抽出部３０が抽出したピークの評価値を有する点線の円１２０で示される位置の評価領域１０２に物体が存在すると判定する。
【００４５】
［１−３．効果］
以上説明した第１実施形態では、以下の効果を得ることができる。
（１ａ）物体が存在する可能性として、物体が存在する距離方向の精度は高いが角度方向の精度は低い距離誤差と、物体が存在する角度方向の精度は高いが距離方向の精度は低い距離分散とを加算することにより、距離方向の精度と角度方向との両方において物体が存在する精度の高い評価領域を抽出することができる。
【００４６】
これにより、複数のミリ波レーダ２が設置された設置範囲４の外側の検出領域１００、１１０に存在する物体の位置を、距離を測定するミリ波レーダ２の検出結果に基づいて高精度に検出できる。
【００４７】
（１ｂ）各評価領域において、距離誤差が、評価領域の距離方向の長さΔｒをミリ波レーダ２の数で割った値Δｒ／Ｎｓより大きい場合、その評価領域における距離誤差に無限大が設定され、距離分散が、評価領域の距離方向の長さΔｒを所定の除数σｔｈで割った値Δｒ／σｔｈより大きい場合、その評価領域における距離分散に無限大が設定される。これにより、無限大が設定された評価領域には物体が存在しないと判定できるので、物体の誤検出を抑制できる。
【００４８】
［２．第２実施形態］
［２−１．第１実施形態との相違点］
第２実施形態の基本的な構成は第１実施形態と同様であるため、相違点について以下に説明する。なお、第１実施形態と同じ符号は、同一の構成を示すものであって、先行する説明を参照する。
【００４９】
図７に示すように、検出領域１００は３つの部分検出領域１３０、１３２、１３４に分割されている。物体検出装置１０は、１回の物体検出処理で検出領域１００から物体を検出するのではなく、部分検出領域１３０、１３２、１３４のそれぞれについて順次、物体検出処理を実行する。
【００５０】
部分検出領域１３０、１３２、１３４のそれぞれについて、分割して生成される評価領域の形状は、図４に示す扇状、あるいは図５に示す格子状のいずれであってもよい。
隣接する部分検出領域１３０と部分検出領域１３２とは領域が重なる重複領域１４０を有し、隣接する部分検出領域１３２と部分検出領域１３４とは領域が重なる重複領域１４２を有している。
【００５１】
情報取得部１２は、部分検出領域１３０、１３２、１３４のそれぞれについて、図７の矢印が示すように順次、第１実施形態と同様にミリ波レーダ２から物体の距離情報を取得する。
【００５２】
ピーク抽出部３０は、取得した距離情報から算出される距離誤差と距離分散とを加算した評価値に基づいて、物体が存在する確からしさが周囲の評価領域よりも高いピークの評価値を有する評価領域を抽出し、抽出した結果をメモリに記憶する。
【００５３】
そして、ピーク抽出部３０は、次の部分検出領域において、物体が存在する確からしさが周囲の評価領域よりも高いピークの評価値を有する評価領域を抽出し、抽出した結果をメモリに記憶する。
【００５４】
物体検出部３２は、重複領域１４０、１４２のそれぞれにおいて、同じ評価領域がピークの評価値を有する評価領域として抽出されている場合、重複領域１４０であれば部分検出領域１３０、１３２のそれぞれの評価領域の距離誤差と距離分散とを加算した値を平均し、重複領域１４２であれば部分検出領域１３２、１３４のそれぞれの評価領域の距離誤差と距離分散とを加算した値の平均値を算出し、該当する評価領域の評価値とする。
【００５５】
あるいは、物体検出部３２は、重複領域１４０であれば部分検出領域１３０、１３２の評価領域の距離誤差と距離分散とを加算した値のうち一方の値として、例えば小さい値を選択し、重複領域１４２であれば部分検出領域１３２、１３４のそれぞれの評価領域の距離誤差と距離分散とを加算した値のうち小さい値を選択し、該当する評価領域の評価値とする。
【００５６】
そして、物体検出部３２は、検出領域１００において、該当する評価領域の評価値に基づいて、該当する評価領域に物体が存在するか否かを判定する。
［２−２．効果］
以上説明した第２実施形態では、第１実施形態の効果（１ａ）、（１ｂ）に加え、以下の効果（２ａ）を得ることができる。
【００５７】
（２ａ）検出領域１００に存在する物体を１回の物体検出処理で検出するのではなく、検出領域１００を複数の部分検出領域１３０、１３２、１３４に分割し、それぞれの部分検出領域に対して順次、物体検出処理を実行するので、物体を検出するために使用するメモリ量を低減できる。
【００５８】
したがって、部分検出領域１３０、１３２、１３４のそれぞれを分割して生成される評価領域の大きさを、第１実施形態の評価領域１０２、１１２より小さくしても、物体を検出するために使用するメモリ量を低減できる。
【００５９】
上記第２実施形態において、重複領域１４０、１４２は、部分検出領域１３０、１３２、１３４同士の境界の評価領域に対応する。
［３．第３実施形態］
［３−１．第１実施形態との相違点］
第３実施形態の基本的な構成は第１実施形態と同様であるため、相違点について以下に説明する。なお、第１実施形態と同じ符号は、同一の構成を示すものであって、先行する説明を参照する。
【００６０】
図８に示す第３実施形態の物体検出装置４０は、第１実施形態の物体検出装置１０の構成に加え、分割部４２を備えている。
そして、第３実施形態の検出領域１１０は、図９の上段に示すように、第１実施形態の評価領域１１２よりも大きな評価領域１５０に分割されている。
【００６１】
分割部４２は、物体が存在すると物体検出部３２が判定した評価領域１５０を、評価領域１５０よりも小さい複数の小領域１５２に分割する。
ピーク抽出部３０は、物体が検出された評価領域１５０の複数の小領域１５２のそれぞれに対して算出された距離誤差と距離分散とを加算した評価値に基づいて、物体が存在する確からしさが周囲の評価領域よりも高いピークの評価値を有する小領域１５２を抽出する。
【００６２】
物体検出部３２は、ピーク抽出部３０により抽出されたピークの評価値を有する小領域１５２の評価値に基づいて、小領域に１５２に物体が存在するか否かを判定する。
［３−２．効果］
以上説明した第３実施形態では、第１実施形態の効果（１ａ）、（１ｂ）に加え、以下の効果（３ａ）を得ることができる。
【００６３】
（３ａ）検出領域１００において物体の存在が検出された評価領域１５０については、評価領域１５０をさらに分割した小領域１５２について物体を検出する。これにより、検出領域１００を最初から小さな小領域１５２に分割して物体を検出するよりも、使用するメモリ量と計算時間とを低減できる。
【００６４】
［４．第４実施形態］
［４−１．第１実施形態との相違点］
第４実施形態の基本的な構成は第１実施形態と同様であるため、相違点について以下に説明する。なお、第１実施形態と同じ符号は、同一の構成を示すものであって、先行する説明を参照する。
【００６５】
図１０に示す第４実施形態の物体検出装置５０は、第１実施形態の物体検出装置１０の構成に加え、分割部５２を備えている。
分割部５２は、評価部２０が評価領域の評価値を設定する処理の前に、情報取得部１２が取得するミリ波レーダ２が測定する距離情報に基づいて、図１１、図１２に示すように、検出領域１１０において、物体が存在する可能性が低い箇所は大きい評価領域１６０、１７０に分割し、物体が存在する可能性が高い箇所は評価領域１６０、１７０よりも小さい評価領域１６２、１７２に分割する。
【００６６】
物体検出部３２は、ピークの評価値を有する評価領域１６０、１６２、１７０、１７２の評価値に基づいて、評価領域１６０、１６２、１７０、１７２に物体が存在するか否かを判定する。
【００６７】
［４−２．効果］
以上説明した第４実施形態では、第１実施形態の効果（１ａ）、（１ｂ）に加え、以下の効果（４ａ）を得ることができる。
【００６８】
（４ａ）検出領域１００において、物体が存在する可能性が低い箇所は大きい評価領域１６０、１７０に分割し、物体が存在する可能性が高い箇所は小さい評価領域１６２、１７２に分割する。これにより、検出領域１００を最初から小さな評価領域１６２、１７２に分割して物体を検出するよりも、使用するメモリ量と計算時間とを低減できる。
【００６９】
［５．他の実施形態］
以上、本開示の実施形態について説明したが、本開示は上記実施形態に限定されることなく、種々変形して実施することができる。
【００７０】
（１）上記実施形態では、物体までの距離を測位する測位センサとして、ミリ波レーダ２を使用した。ミリ波レーダ２以外にも、探査波を照射して物体までの距離を測位する測位センサであれば、ＬｉＤＡＲ、ソナー等を使用してもよい。
【００７１】
（２）上記実施形態では、物体検出装置が搭載される移動体として車両以外に、自転車、車椅子、ロボット等の移動体に物体検出装置を搭載してもよい。
（３）物体検出装置は移動体に限らず、静止物体等の固定位置に設置されてもよい。
【００７２】
（４）上記実施形態では、ピーク抽出部３０は、距離誤差と距離分散とを加算した値を評価領域の評価値とし、周囲の評価領域１０２よりも物体が存在する確からしさが高いピークの評価値を有する評価領域を抽出した。これに対し、評価値として、距離誤差と距離分散との両方が周囲の評価領域１０２よりも物体が存在する確からしさが高いピークを有する評価領域を抽出してもよい。
【００７３】
（５）上記第２実施形態では、検出領域１００を分割した部分検出領域１３０、１３２、１３４同士が重なっている重複領域の評価領域を、部分検出領域同士の境界の評価領域とした。これに対し、検出領域を分割した互いに隣接して重複領域を持たない部分検出領域同士の隣接する評価領域を、部分検出領域同士の境界の評価領域としてもよい。
【００７４】
（６）上記第２実施形態では、検出領域１００を分割した部分検出領域１３０、１３２、１３４同士が重なっている重複領域の評価領域を、部分検出領域同士の境界の評価領域とした。これに対し、ミリ波レーダ２が測定した物体までの測位距離に基づいて、測位距離を含み前後の領域を部分検出領域としてもよい。例えば、測位距離が１０ｍ、４０ｍ、１００ｍであれば、測位距離の前後５ｍの範囲を部分検出領域としてもよい。
【００７５】
ただし、複数のミリ波レーダ２の設置間隔のうち最大の間隔以上に前後に幅のある部分検出領域を設定することが望ましい。例えば、複数のミリ波レーダ２の設置間隔のうち最大の間隔が２ｍであれば、±２ｍ以上の部分検出領域を設定する。
（７）上記第４実施形態では、分割部５２は、ミリ波レーダ２が測定する距離情報に基づいて、大小の評価領域を生成する位置を決定した。
【００７６】
これに対し、分割部５２は、例えば、自車両が走行する道路に存在する物体の位置を検出するために、情報取得部１２がミリ波レーダ２から距離情報を取得する前に、自車両の位置とナビゲーション装置の地図データとに基づいて、自車両が走行する道路の範囲の評価領域を小さくし、道路以外の範囲の評価領域を道路の範囲の評価領域より大きくしてもよい。
【００７７】
（８）上記実施形態における一つの構成要素が有する複数の機能を複数の構成要素によって実現したり、一つの構成要素が有する一つの機能を複数の構成要素によって実現したりしてもよい。また、複数の構成要素が有する複数の機能を一つの構成要素によって実現したり、複数の構成要素によって実現される一つの機能を一つの構成要素によって実現したりしてもよい。また、上記実施形態の構成の一部を省略してもよい。また、上記実施形態の構成の少なくとも一部を、他の上記実施形態の構成に対して付加又は置換してもよい。尚、特許請求の範囲に記載した文言のみによって特定される技術思想に含まれるあらゆる態様が本開示の実施形態である。
【００７８】
（９）上述した物体検出装置１０、４０、５０の他、当該物体検出装置１０、４０、５０を構成要素とするシステム、当該物体検出装置１０、４０、５０としてコンピュータを機能させるための物体検出プログラム、この物体検出プログラムを記録した記録媒体、物体検出方法など、種々の形態で本開示を実現することもできる。
【符号の説明】
【００７９】
２：ミリ波レーダ（センサ）、４：設置範囲、１０、４０、５０：物体検出装置、１２：情報取得部、２０：評価部、２２：誤差評価部、２４：分散評価部、３０：ピーク抽出部、３２：物体検出部、４２、５２：分割部、１００、１１０：検出領域、１０２、１１２、１５０、１６０、１６２、１７０、１７２：評価領域、１３０〜１３４：部分検出領域、１４０、１４２：重複領域（境界の評価領域）、１５２：小領域
【図１】
2020008310.tif 000008
【図２】
2020008310.tif 000009
【図３】
2020008310.tif 000010
【図４】
2020008310.tif 000011
【図５】
2020008310.tif 000012
【図６】
2020008310.tif 000013
【図７】
2020008310.tif 000014
【図８】
2020008310.tif 000015
【図９】
2020008310.tif 000016
【図１０】
2020008310.tif 000017
【図１１】
2020008310.tif 000018
【図１２】
2020008310.tif 000019